(57)【特許請求の範囲】
【請求項１】
複数の固定用ねじ孔および位置決め用の切溝を有する基板と、前記切溝に嵌合する位置決め突起を表裏両面に有するとともに前記表裏両面を前記基板に重ねた状態で前記固定用ねじ孔に整合する固定ねじ挿通孔を有する板状の固定部材とを備え、
前記固定部材の表面に取付ける第１の電気機器を位置決めする第１の位置決め部および前記第１の電気機器の取付孔に重合する第１のねじ孔を前記固定部材の前記表面に形成するとともに、前記第１の電気機器と別種であって前記固定部材の裏面に取付ける第２の電気機器を位置決めする第２の位置決め部および前記第２の電気機器の取付孔に重合する第２のねじ孔を前記固定部材の前記裏面に形成し、
さらに前記第１の電気機器および第２の電気機器は固定位置の寸法の異なる２種類の回路遮断器であり、前記固定部材はこれに取付けられた前記２種類の回路遮断器の上面のハンドルが前記基板に対して略同一位置となるように、前記第１の位置決め部および前記第２位置決め部を設けた電気機器固定装置。
【請求項２】
上端に開口を有する箱体と、この箱体内の底板に取着される請求項１記載の電気機器固定装置と、この電気機器固定装置に取付けられた回路遮断器の両側で前記固定部材に取着された一対の脚片を有し前記回路遮断器を間にして前記脚片にまたがる連結片を有しこの連結片に移動自在に配設されて前記ハンドルを駆動する外部操作ハンドルを有する外部操作ハンドル保持部材と、前記連結片に対向する窓孔を有して前記箱体の前記開口を閉じる蓋体とを備えた電気機器収納装置。
【発明の詳細な説明】
【０００１】
【発明の属する技術分野】
この発明は、数種類の回路遮断器等の電気機器を固定する電気機器固定装置および収納装置に関するものである。
【０００２】
【従来の技術】
従来、箱体内の定位置に取着されている基板に、寸法の異なる数種類の回路遮断器を取着する複数のねじ孔を形成し、寸法の異なる数種類の回路遮断器の１つを選択してその回路遮断器の取付孔を通して所定のねじ孔にねじを螺合することにより行なわれていた。
【０００３】
【発明が解決しようとする課題】
しかし、基板の同じ面に寸法の異なる数種類の回路遮断器の取付孔に対応する複数のねじ孔を形成しているため、どのねじ孔にどの寸法の回路遮断器が対応するのか分かりにくく、回路遮断器を固定する位置を間違えるおそれがあり、作業が煩雑になった。
【０００４】
したがって、この発明の目的は、電気機器を固定する位置を間違えにくい電気機器固定装置および収納装置を提供することである。
【０００５】
【課題を解決するための手段】
請求項１の電気機器固定装置は、複数の固定用ねじ孔および位置決め用の切溝を有する基板と、前記切溝に嵌合する位置決め突起を表裏両面に有するとともに前記表裏両面を前記基板に重ねた状態で前記固定用ねじ孔に整合する固定ねじ挿通孔を有する板状の固定部材とを備え、
前記固定部材の表面に取付ける第１の電気機器を位置決めする第１の位置決め部および前記第１の電気機器の取付孔に重合する第１のねじ孔を前記固定部材の前記表面に形成するとともに、前記第１の電気機器と別種であって前記固定部材の裏面に取付ける第２の電気機器を位置決めする第２の位置決め部および前記第２の電気機器の取付孔に重合する第２のねじ孔を前記固定部材の前記裏面に形成し、
さらに前記第１の電気機器および第２の電気機器は固定位置の寸法の異なる２種類の回路遮断器であり、前記固定部材はこれに取付けられた前記２種類の回路遮断器の上面のハンドルが前記基板に対して略同一位置となるように、前記第１の位置決め部および前記第２位置決め部を設けたものである。
【０００６】
請求項１の電気機器固定装置によれば、固定部材の表面または裏面の位置決め突起を基板の切溝に嵌合し基板の固定用ねじ孔に整合した固定ねじ挿通孔にねじを通してねじ孔に螺合して取付ける。基板の上方に向いた固定部材が表面の場合、第１の電気機器を位置決め部に位置決めし取付孔にねじを通してねじ孔に取付ける。基板の上方に向いた固定部材が裏面の場合、第２の電気機器を位置決め部に位置決めし取付孔にねじを通してねじ孔に取付ける。この場合、固定部材の第１の電気機器または第２の電気機器を取付ける位置決め部およびねじ孔を固定部材の表裏に分離したため、固定部材の表裏に電気機器を固定する位置を間違えるおそれがなくなり、固定部材の各面に取付ける電気機器の種類および取付位置が容易に分かる。また位置決め部を設けているためねじ孔数を少なくできるとともに電気機器取付面の区別がより一層つきやすい。
【０００８】
また、固定部材の表裏面にそれぞれ配設される２種類の回路遮断器のハンドルが基板に対して略同一位置となるので、固定部材の表面に取着された回路遮断器を外し、固定部材の裏面を表に裏返して回路遮断器を配設したときの収納性が向上するとともに、同じ位置にハンドルが位置するので操作し易さが変わらない。
【０００９】
請求項２の電気機器収納装置は、上端に開口を有する箱体と、この箱体内の底板に取着される請求項１記載の電気機器固定装置と、この電気機器固定装置に取付けられた回路遮断器の両側で前記固定部材に取着された一対の脚片を有し前記回路遮断器を間にして前記脚片にまたがる連結片を有しこの連結片に移動自在に配設されて前記ハンドルを駆動する外部操作ハンドルを有する外部操作ハンドル保持部材と、前記連結片に対向する窓孔を有して前記箱体の前記開口を閉じる蓋体とを備えたものである。
【００１０】
請求項２の電気機器収納装置によれば、２種類の回路遮断器を固定する位置を簡単に決めることができるとともに、２種類の回路遮断器のハンドルの位置が略同一位置であることから、外部操作ハンドル保持部材の連結片が蓋体の窓孔に必ず臨み大きくずれることがなくほとんど調整を必要とすることなく外部操作ハンドル保持部材および蓋体を共用することができる。
【００１１】
【発明の実施の形態】
この発明の第１の実施の形態を図１ないし図４により説明する。すなわち、この電気機器固定装置は、基板１と、固定部材２とを有する。
基板１は、複数の固定用ねじ孔３および位置決め用の切溝４を有する。実施の形態では固定用ねじ孔３を基板１の一対角方向のコーナ付近にそれぞれ形成している。切溝４は切溝４ａ〜４ｉからなり、円孔，長孔，矩形孔，切欠等により形成している。１５は基板１の取付孔である。
【００１２】
固定部材２は、切溝４に嵌合する位置決め突起５を表裏両面２ａ，２ｂに有するとともに、表裏両面２ａ，２ｂを基板１に重ねた状態で固定用ねじ孔３に整合する固定ねじ挿通孔６を有する。実施の形態の位置決め突起５は固定部材２の表裏両面２ａ，２ｂで異なる数になっているが、固定部材２に取付ける電気機器の大きさに合わせて決めている。すなわち第１の電気機器７は形状が小さく位置決め突起５を多く形成し、第２の電気機器１０は第１の電気機器７よりも形状が大きく位置決め突起５を減らし、いずれの場合も固定用ねじ孔３に螺合するねじ数は同じにしている。なお固定部材２の両側に長手方向の中央部を境に厚さ方向に段差を設け、位置決め突起５は表裏両面２ａ，２ｂのそれぞれ突出している面上に形成し、凹んでいる面にも位置決め突起５と同形状の突部５ａを形成している。
【００１３】
また図２に示すように、固定部材２の表面に取付ける第１の電気機器７を位置決めする第１の位置決め部８および第１の電気機器７の取付孔１６に重合する第１のねじ孔９を固定部材２の表面２ａに形成している。実施の形態では第１の位置決め部８を一対の突条により形成し、第１の位置決め部８に嵌合する凹部１７を第１の電気機器７の裏面に形成している。
【００１４】
また図４に示すように、第１の電気機器７と別種であって、固定部材２の裏面に取付ける第２の電気機器１０を位置決めする第２の位置決め部１１および第２の電気機器１０の取付孔１２に重合する第２のねじ孔１３を固定部材２の裏面２ｂに形成している。実施の形態の第２の位置決め部１１は一対の突起により形成し、この突起１１が嵌合する凹部１８を第２の電気機器１０の裏面に端子部等を利用して形成している。
【００１５】
第１の電気機器７および第２の電気機器１０は、前記したように大きさが異なるほか、固定位置の寸法が異なる２種類の回路遮断器であり、固定部材２はこれに取付けられた２種類の回路遮断器の上面のハンドル（図示せず）が基板１に対して略同一位置となるように、第１の位置決め部８および第２位置決め部１１のを設けている。このため、第２の位置決め部１１により第２の電気機器１０の固定部材２上の位置を決めるとともに、第２の電気機器１０は第１の電気機器７よりも高さが低いので、第２の位置決め部１１の両側に沿って第２の電気機器１０の長手方向に複数の高さ決め突起１１ａを設け、この高さ決め突起１１ａに第２の電気機器１０の底面を載せるようにしている。なお高さ決め突起１１ａは位置決め突起５の一部を利用し、かつ高さ決め突起１１ａの一部はねじ孔１３が形成されている。
【００１６】
固定部材２の取付けは、固定部材２の表面２ａまたは裏面２ｂの位置決め突起５を基板１の切溝４に嵌合し基板１の固定用ねじ孔３に整合した固定ねじ挿通孔６にねじ（図示せず）を通して固定用ねじ孔３に螺合して取付ける。つぎに第１の電気機器７の取付けは、基板１の上方に向いた固定部材２が表面２ａの場合であり、第１の電気機器７を図２に示すように第１の位置決め部８に凹部１７を嵌合して位置決めし取付孔１６にねじ（図示せず）を通してねじ孔９に取付ける。
【００１７】
第２の電気機器１０の取付けは、図４に示すように基板１の上方に向いた固定部材２が裏面２ｂの場合であり、固定部材２を縦方向に回すことにより裏返えして取付け、第２の電気機器１０を位置決め部１１に凹部１８を嵌合して位置決めし取付孔１２にねじ（図示せず）を通してねじ孔３に取付ける。
この実施の形態によれば、固定部材２の第１の電気機器７または第２の電気機器１０を取付ける位置決め部８，１１およびねじ孔９，１３を固定部材２の表裏に分離したため、固定部材２の表裏に電気機器を固定する位置を間違えるおそれがなくなり、固定部材２の各面に取付ける電気機器の種類および取付位置が容易に分かる。また位置決め部８，１１を設けているためねじ孔数を少なくできるとともに電気機器取付面の区別がより一層つきやすい。
【００１８】
また、固定部材２の表裏面にそれぞれ配設される２種類の回路遮断器のハンドル（図示せず）が基板１に対して略同一位置となるので、固定部材２の表面２ａに取着された回路遮断器を外し、固定部材２の裏面２ｂを表に裏返して回路遮断器を配設したときの収納性が向上するとともに、同じ位置にハンドルが位置するので操作し易さが変わらない。
【００１９】
この発明の第２の実施の形態を図５ないし図１０に示す。すなわち、この電気機器収納装置は、箱体３０と、外部操作ハンドル保持部材３３と、蓋体３２とを有する。
箱体３０は、第１の実施の形態の電気機器固定装置３３を取着する底板３４を内底面に有し上端に開口３５を有する。実施の形態において、３６は基板１を支持する複数の台、３７は通線孔、３８は屋根部、３９は仕切り板、４０はカバー閉止用の錠挿通孔、５１は箱体３０の壁面取付孔である。
【００２０】
外部操作ハンドル保持部材３１は、電気機器固定装置３３に取付けられた第１の電気機器７または第２の電気機器１０の両側で固定部材２に取着された一対の脚片４１を有し、第１の電気機器７または第２の電気機器１０を間にして脚片４１にまたがる連結片４２を有し、この連結片４２に移動自在に配設されて電気機器のハンドル７ａ，１０ａを駆動する外部操作ハンドル４３を有する。実施の形態の脚片４１は固定部材２の位置決め突起５に形成したねじ孔４４に整合する孔４５を下端部に有し、ねじ４６により取付けられている。一対の脚片４１と連結片４２でコ字状に形成されている。また外部操作ハンドル４３は公知の手段により連結片４２に電気機器のハンドルの動作方向に移動自在に取付けられている。５０は基板１を底板３４に取付ける取付ねじ、５４は基板１に固定部材２を取付けるねじ、５５は電気機器を固定部材２に取付ける取付ねじである。
【００２１】
蓋体３２は、連結片４２に対向する窓孔４６を有して箱体３０の開口３５を閉じるものである。実施の形態では、ヒンジ部４７を箱体３０の開口３５の縁部のヒンジ受け部４７′に回動自在に取付けて開閉自在にしている。４８は錠挿通孔４０に整合する錠取付孔、４９は窓孔４６を着脱自在に閉じるカバーである。
図５ないし図７は第１の電気機器７を取付けた場合であり、図８ないし図１０は第２の電気機器１０を取付けた場合である。
【００２２】
この実施の形態によれば、２種類の回路遮断器である第１の電気機器７および第２の電気機器１０を固定する位置を簡単に決めることができるとともに、２種類の回路遮断器のハンドル７ａ，１０ａの位置が略同一位置であることから、外部操作ハンドル保持部材３１の連結片４２が蓋体３２の窓孔４６に必ず臨み大きくずれることがなくほとんど調整を必要とすることなく外部操作ハンドル保持部材３１および蓋体３２を共用することができる。
【００２３】
【発明の効果】
請求項１の電気機器固定装置によれば、固定部材の表面または裏面の位置決め突起を基板の切溝に嵌合し基板の固定用ねじ孔に整合した固定ねじ挿通孔にねじを通してねじ孔に螺合して取付ける。基板の上方に向いた固定部材が表面の場合、第１の電気機器を位置決め部に位置決めし取付孔にねじを通してねじ孔に取付ける。基板の上方に向いた固定部材が裏面の場合、第２の電気機器を位置決め部に位置決めし取付孔にねじを通してねじ孔に取付ける。この場合、固定部材の第１の電気機器または第２の電気機器を取付ける位置決め部およびねじ孔を固定部材の表裏に分離したため、固定部材の表裏に電気機器を固定する位置を間違えるおそれがなくなり、固定部材の各面に取付ける電気機器の種類および取付位置が容易に分かる。また位置決め部を設けているためねじ孔数を少なくできるとともに電気機器取付面の区別がより一層つきやすい。
【００２４】
また、固定部材の表裏面にそれぞれ配設される２種類の回路遮断器のハンドルが基板に対して略同一位置となるので、固定部材の表面に取着された回路遮断器を外し、固定部材の裏面を表に裏返して回路遮断器を配設したときの収納性が向上するとともに、同じ位置にハンドルが位置するので操作し易さが変わらない。
【００２５】
請求項２の電気機器収納装置によれば、２種類の回路遮断器を固定する位置を簡単に決めることができるとともに、２種類の回路遮断器のハンドルの位置が略同一位置であることから、外部操作ハンドル保持部材の連結片が蓋体の窓孔に必ず臨み大きくずれることがなくほとんど調整を必要とすることなく外部操作ハンドル保持部材および蓋体を共用することができる。
【図面の簡単な説明】
【図１】この発明の第１の実施の形態の第１の電気機器の取付けにおける分解斜視図である。
【図２】固定部材と第１の電気機器との関係を示す分解斜視図である。
【図３】第２の電気機器の取付けにおける分解斜視図である。
【図４】固定部材と第２の電気機器との関係を示す分解斜視図である。
【図５】第２の実施の形態の第１の電気機器の取付けにおける分解斜視図である。
【図６】組立状態の断面図である。
【図７】蓋体を外した状態の平面図（壁に取付けた状態の正面図）である。
【図８】第２の電気機器の取付けにおける分解斜視図である。
【図９】組立状態の断面図である。
【図１０】蓋体を外した状態の平面図（壁に取付けた状態の正面図）である。
【符号の説明】
１    基板
２    固定部材
３    固定用ねじ孔
４    切溝
５    位置決め突起
６    固定ねじ挿通孔
７    第１の電気機器
８    第１の位置決め部
９    第１のねじ孔
１０    第２の電気機器
１１    第２の位置決め部
１２    取付孔
１３    第２のねじ孔
３０    箱体
３１    外部操作ハンドル保持部材
３２    蓋体
３３    電気機器固定装置
３４    底板
３５    開口
４１    脚片
４２    連結片
４３    外部操作ハンドル
４６    窓孔
【図１】
0003640112.tif 000002
【図２】
0003640112.tif 000003
【図３】
0003640112.tif 000004
【図４】
0003640112.tif 000005
【図５】
0003640112.tif 000006
【図６】
0003640112.tif 000007
【図７】
0003640112.tif 000008
【図８】
0003640112.tif 000009
【図９】
0003640112.tif 000010
【図１０】
0003640112.tif 000011